(57)【要約】      （修正有）【課題】ポータブル電子機器のストレージモジュールを提供する。【解決手段】ポータブル電子機器１のストレージモジュールにおけるポータブル電子機器１のプロセッサー１１はデータを探知するストレージプログラムを内蔵し、プロセッサー１１により伝送インターフェース１２に電気的に連接し、電子信号及びデータ伝送を行い、しかも伝送インターフェース１２を利用し、ストレージデバイス２の対応接続インターフェース２１に電気的に連接し、対応接続インターフェース２１は処理ユニットに連接し、さらに処理ユニットによりパワーサプライ２３に電気的に連接し、対応接続インターフェース２１を通して、ストレージモジュールとデータ伝送を行う時には、パワーサプライ２３によりポータブル電子機器１に対して充電を行うことができ、データの伝送と充電作業を同時に行う目的を達成する。【選択図】図１
0003209182.tif 000002
【実用新案登録請求の範囲】
【請求項１】
ポータブル電子機器のストレージモジュールは、括ポータブル電子機器及びストレージデバイスを備え、
該ポータブル電子機器は、データを探知するストレージプログラムを内蔵するプロセッサーを設置し、該プロセッサーにより、電子信号及びデータ伝送を行い伝送インターフェースに電気的に連接し、
該ストレージデバイスは、該ポータブル電子機器と電気的に連接し、該ポータブル電子機器の伝送インターフェースと電気的に連接する対応接続インターフェースを設置し、しかも該対応接続インターフェースは、探知プログラムを内蔵し、ポータブル電子機器伝送データの探知を行うマイクロプロセッサーユニットを連接し、
該マイクロプロセッサーユニットは、ポータブル電子機器にデータのバックアップ、保存を行わせるストレージユニットを電気的に連接し、該マイクロプロセッサーユニットは、ポータブル電子機器に対して充電を行うパワーサプライを電気的に連接することを特徴とするポータブル電子機器のストレージモジュール。
【請求項２】
前記ポータブル電子機器のプロセッサー内蔵のストレージプログラムは、データブラウザ操作インターフェース、実現操作インターフェースの操作機能を備えるアプリケーション層、ＦＡＴ／ＮＴＦＳ／ｅｘＦＡＴ／Ｅｘｔのデータシステム関連保存プロトコルをサポートするデータシステム層、ディスクブロック操作プロトコル層、数値データ伝送プロトコル層及びデータストレージ層を備え、
該プロセッサーにより、少なくとも１個以上の伝送インターフェースに電気的に連接することを特徴とする請求項１に記載のポータブル電子機器のストレージモジュール。
【請求項３】
前記ストレージデバイスには、少なくとも１個以上の対応接続インターフェース、マイクロプロセッサーユニット及び電源を供給するハウジングを設置し、
該ハウジングの少なくとも一側面には、少なくとも１個の対応接続インターフェースが露出し、該ハウジングの外部には、該ポータブル電子機器を搭載する搭載台を設置し、
該対応接続インターフェースは、ＵＳＢ（ＵＳＢ２?０）型式のコネクターインターフェースで、しかも該マイクロプロセッサーユニットは、ＣＰＵ、マイクロプロセッサー或いはＩＣで、ポータブル電子機器伝送データのバックアップ日、時間、更新時間、標記名称及び容量を探知し、すでにバックアップ済みのデータを識別して排除する探知プログラムを内蔵することを特徴とする請求項１に記載のポータブル電子機器のストレージモジュール。
【考案の詳細な説明】
【技術分野】
【０００１】
本考案はポータブル電子機器のストレージモジュールに関し、特にポータブル電子機器がデータのバックアップ或いは充電等を行うためのストレージモジュールで、該ストレージデバイスには対応接続インターフェースを設置し、ポータブル電子機器の伝送インターフェースに電気的に連接し、データの伝送と充電作業を同時に行う目的を達成するポータブル電子機器のストレージモジュールに関する。
【背景技術】
【０００２】
テクノロジーの絶え間ない進歩に従い、室内で操作、応用する電子機器、電気製品の他に、ポータブル電子機器（ノート型パソコン、タブレットＰＣ或いはスマートフォン等）が普及している。
ポータブル電子機器は、携帯しての使用に便利なため、近年最も広く用いられている電子製品となっており、無線伝送方式を通してインターネットに接続し、時間の制限も空間の制限も受けず、インターネットを通して世界各国とつながることができる。
そのため、若者世代だけでなく、少年、中年、老年に至るまであらゆる世代に普及しており、その広がりは、今ではほぼ一人一台と言っても過言ではない。
【０００３】
なかでも、タブレットＰＣ或いはスマートフォン等ポータブル電子機器は、世代を問わず広く歓迎されている。
ポータブル電子機器は、通信、映像通信或いは文書データ処理等作業が可能なほか、インターネットに接続できるという優位があるため、文書データ、画像、写真、映像、ビデオ、アプリケーションプログラム(App)、アプリケーションソフト、或いはゲーム等のダウンロードも盛んに行われている。
けれども、ダウンロードするデータ、電子信号等の容量が膨大であるため、ポータブル電子機器の内蔵メモリ容量が足りなくなる状況がしばしば起きており、大量のデータ、信号等を非常に管理しにくくなっている。
そのため、大容量ポータブルディスク、デスクトップコンピューターの大容量のハードディスク或いは大容量の携帯用ハードディスク等のポータブル電子機器によるバックアップが欠かせない。
【０００４】
現代社会におけるモバイル(Mobile)設備（パワーバンク、ストレージデバイス等）の普及に連れて、数値データ式を通した伝統的なモバイル設備の移動方式は、すでに時代遅れになっており、これによりポータブル電子機器の使用率がどんどん低くなっている。
本考案のストレージデバイスは、ポータブル電子機器により大容量の数値データの伝送、或いはバックアップを行う際の利便性を高められる他、充電のニーズにも同時に応えることができる。
しかも、ストレージデバイスは携帯でき、操作が簡単で、数値データ伝送、バックアップ、充電等の機能を実現でき、モバイルデバイス(Mobile Device)の最良の周辺設備である。
本考案は、従来のポータブル電子機器の上記した欠点に鑑みてなされたものである。
【先行技術文献】
【特許文献】
【０００５】
【特許文献１】特開２０１４−２２２４２６号公報
【考案の概要】
【考案が解決しようとする課題】
【０００６】
本考案が解決しようとする第一の課題は、ポータブル電子機器のプロセッサーは、データを探知するストレージプログラムを内蔵し、プロセッサーにより伝送インターフェースに電気的に連接し、電子信号及びデータ伝送を行い、しかも伝送インターフェースを利用し、ストレージデバイスの対応接続インターフェースに電気的に連接し、対応接続インターフェースは処理ユニットに連接し、さらに処理ユニットによりパワーサプライに電気的に連接し、対応接続インターフェースを通してストレージモジュールとデータ伝送を行う時には、パワーサプライによりポータブル電子機器に対して充電を行うことができ、データの伝送と充電作業を同時に行う目的を達成するポータブル電子機器のストレージモジュールを提供することである。
【０００７】
本考案が解決ようとする第二の課題は、ポータブル電子機器のプロセッサー内蔵のストレージプログラムは、データブラウザ操作インターフェース、実現操作インターフェースの操作機能を備えるアプリケーション層、ＦＡＴ／ＮＴＦＳ／ｅｘＦＡＴ／Ｅｘｔのデータシステム関連保存プロトコルをサポートするデータシステム層、ディスクブロック操作プロトコル層、数値データ伝送プロトコル層及びデータストレージ層等オペレーションレベルを備え、ストレージプログラムの各オペレーションレベルを通して、データストレージ層内のデータに対して、読み書き、修正、新規作成或いは削除等作業を行うことができるポータブル電子機器のストレージモジュールを提供することである。
【０００８】
本考案が解決ようとする第三の課題は、ストレージデバイスには少なくとも１個以上の対応接続インターフェース、マイクロプロセッサーユニット及び電源を供給するハウジングを設置し、ハウジングの少なくとも一側面には、少なくとも１個の対応接続インターフェースが露出し、ハウジングの外部には、搭載台を設置してポータブル電子機器を搭載し、対応接続インターフェースはＵＳＢ（ＵＳＢ２?０、ＵＳＢ３?０）、マイクロＵＳＢ（Micro ＵＳＢ）或いはミニＵＳＢ（Mini  ＵＳＢ）等型式のコネクターインターフェースで、しかも処理ユニットはＣＰＵ、マイクロプロセッサー或いはＩＣ等で、探知プログラムを内蔵し、ポータブル電子機器伝送データの日にち、時間或いは容量等内容を探知して識別し、すでにバックアップ済みの既存のデータを排除し、未バックアップの新データのみをバックアップし、しかもストレージデバイスがポータブル電子機器に連接すると、ポータブル電子機器に充電できると同時に、数値データバックアップの作業を行うこともできるポータブル電子機器のストレージモジュールを提供することである。
【課題を解決するための手段】
【０００９】
上記課題を解決するため、本考案は下記のポータブル電子機器のストレージモジュールを提供する。
【考案の効果】
【００１０】
本考案のポータブル電子機器のストレージモジュールは、ポータブル電子機器により大容量数値データの伝送、或いはバックアップを行う際の利便性を高められる他、充電のニーズにも同時に応えることができ、しかも携帯でき、操作が簡単で、数値データ伝送、バックアップ、充電等の機能を実現でき、モバイルデバイス（Ｍｏｂｉｌｅ  Ｄｅｖｉｃｅ）の最良の周辺設備である。
【図面の簡単な説明】
【００１１】
【図１】本考案の簡易ブロックチャートである。
【図２】ポータブル電子機器内蔵のストレージプログラム１３の簡易ブロックチャートである。
【図３】本考案ストレージデバイスの立体外観図である。
【図４】本考案の実施例の立体外観図である。
【考案を実施するための形態】
【００１２】
以下に図面を参照しながら本考案を実施するための最良の形態について詳細に説明する。
【実施例】
【００１３】
図１、２、３、４に示すように、本考案のポータブル電子機器のストレージモジュールは、ポータブル電子機器１及びストレージデバイス２を備える。
【００１４】
該ポータブル電子機器１には、プロセッサー１１を設置し、しかも該プロセッサー１１は、伝送インターフェース１２に電気的に連接する。
【００１５】
該プロセッサー１１は、ストレージプログラム１３１３を内蔵する。
【００１６】
該ストレージプログラム１３１３は、データブラウザ操作インターフェース１３１、実現操作インターフェース１３１を備える操作機能のアプリケーション層１３２、ＦＡＴ／ＮＴＦＳ／ｅｘＦＡＴ／Ｅｘｔのデータシステム関連保存プロトコルをサポートするデータシステム層１３３、ディスクブロック操作プロトコル層１３４、数値データ伝送プロトコル層１３５及びデータストレージ層１３６等オペレーションレベルを備える。
【００１７】
ストレージプログラム１３１３の各オペレーションレベルを通して、データストレージ層１３６内のデータに対して読み書き、修正、新規作成或いは削除等作業を行うことができる。
【００１８】
該ストレージデバイス２は、少なくとも１個以上の対応接続インターフェース２１、マイクロプロセッサーユニット２２、パワーサプライユニット２３、及び上述の各構成部材を組み付けるハウジング２４を備える。
【００１９】
該ハウジング２４の少なくとも一側面には、少なくとも１個の対応接続インターフェース２１が露出し、該ハウジング２４の外部には、搭載台２４１を設置する。
【００２０】
しかも、該対応接続インターフェース２１には、マイクロプロセッサーユニット２２を連接し、該マイクロプロセッサーユニット２２は、探知プログラムを内蔵し、パワーサプライユニット２３、ストレージユニット２２１をさらに電気的に連接する。
【００２１】
上述の各構成部材の実際応用時には、該ポータブル電子機器１は、伝送インターフェース１２を通して、ストレージデバイス２の対応接続インターフェース２１に電気的に連接し、プロセッサー１１内蔵ストレージプログラム１３１３のデータストレージ層１３６のデータ或いは電子信号等を、該伝送インターフェース１２を通して、ストレージデバイス２の対応接続インターフェース２１に伝送する。
【００２２】
さらに、該マイクロプロセッサーユニット２１を経て、内蔵する探知プログラムにより、伝送されたデータ或いは電子信号等に対して、探知、識別等処理を執行し、伝送されたデータ或いは電子信号のバックアップ日、バックアップ時間、更新日、標記名称及び容量等内容をそれぞれ判断後、未バックアップのデータ或いは電子信号等を、ストレージユニット２１２内に保存し、ポータブル電子機器１にデータをバックアップする目的を達成する。
【００２３】
しかも、該ストレージデバイスをポータブル電子機器に連接すると、ポータブル電子機器に充電できると同時に、数値データバックアップの作業を行うこともでき、こうしてポータブル電子機器１及びストレージデバイス２により、本考案のストレージモジュールを構成する。
【００２４】
しかも、該ポータブル電子機器１は、スマートフォン、タブレットＰＣ、ＰＤＡ或いはノート型パソコン等である。
【００２５】
その内部のプロセッサー１１は、ＣＰＵ、マイクロプロセッサー或いはＩＣ等で、プロセッサー１１が電気的に連接する伝送インターフェース１２は、ＵＳＢ２?０型式のコネクターインターフェースである。
【００２６】
該ストレージデバイス２は、ハードディスク（ＨＤＤ）、ソリッドステートドライブ（ＳＳＤ）、ＳＤカード、ＴＦカード、ＵＳＢ  Ｆｌａｓｈ、ｅＭＭＣストレージ、或いはNand Flash等の電子信号、データ等を保存するストレージ設備、装置である。
【００２７】
該ストレージデバイス２の対応接続インターフェース２１は、ＵＳＢ（ＵＳＢ２?０）型式のコネクターインターフェースである。
【００２８】
しかも、該マイクロプロセッサーユニット２２は、ＣＰＵ、マイクロプロセッサー或いはＩＣ等で、探知プログラムを内蔵し、ポータブル電子機器１が伝送するデータ或いは電子信号等のバックアップ日、バックアップ時間、標記名称、更新日及び容量大小等内容に対して、探知、識別を行い、ストレージユニット２２１内部にすでにバックアップ済みのデータ内容と比較対照、分析を行い、これによりすでにバックアップ済みの同じデータ内容を排除する。
【００２９】
続いて、未バックアップのデータ或いは電子信号等を、ストレージユニット２２１内にバックアップし、すべてのデータを重複バックアップする時間を省くことができ、時間と手間を省け、しかも該ストレージデバイスがポータブル電子機器に連接すると、ポータブル電子機器に充電できると同時に、数値データバックアップの工作作業を行うこともできる。
【００３０】
しかも、ポータブル電子機器１のプロセッサー１１内蔵のストレージプログラム１３１３は、iOS/Androidシステム專用のデータ保存システムを通してアプリケーションプログラム（Ａｐｐ）である。
【００３１】
これにより、ポータブル電子機器１とストレージデバイス２との間で、迅速なデータ或いは電子信号の伝送、保存、読み取り等機能を執行できる。
【００３２】
ポータブル電子機器１とストレージデバイス２との間でデータ伝送を行うと、該ストレージデバイス２は、同時にパワーサプライユニット２３を利用し、対応接続インターフェース２１、伝送インターフェース１２を通して、ポータブル電子機器１に対して充電を行うことができる。
【００３３】
ポータブル電子機器１は、ハウジング２４の搭載台２４１上に置くことができ、これによりポータブル電子機器１は、ストレージデバイス２を通して、適当に電気エネルギーの補充が受けられ、十分な電源をポータブル電子機器１に供給し、操作、応用等作業を行うことができる。
【００３４】
しかも、パワーサプライユニット２３は、リチウム電池、乾電池或いは充電電池等で、直流或いは交流（ＤＣ／ＡＣ）型式の電源を提供でき、ポータブル電子機器１に対して充電作業を行うことができる。
【００３５】
本考案のポータブル電子機器のストレージモジュールは、ポータブルストレージデバイスのプロセッサーに、探知データのストレージプログラム１３を内蔵し、しかも伝送インターフェースとストレージデバイスの対応接続インターフェースを通して電気的に連接し、対応接続インターフェースは、マイクロプロセッサーユニットに電気的に連接し、さらにマイクロプロセッサーユニットによりストレージユニット及びパワーサプライユニットに電気的に連接する。
これにより、ポータブル装置とストレージデバイスとは、データ伝送を行い、同時に充電の目的を達成できる。
並びに、ストレージデバイスのパワーサプライユニットを通して、対応接続インターフェース、伝送インターフェースを経て、ポータブル電子機器に対して充電等を行い、しかも該ストレージデバイスがポータブル電子機器に連接すると、ポータブル電子機器に充電できると同時に、数値データバックアップの作業を行うこともできる。
【００３６】
上記の本考案の名称と内容は、本考案の技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３８】
１  ポータブル電子機器
１１  プロセッサー
１２  伝送インターフェース
１３  ストレージプログラム
１３１  操作インターフェース
１３２  アプリケーション層
１３３  データシステム層
１３４  ディスクブロック操作プロトコル層
１３５  数値データ伝送プロトコル層
１３６  データストレージ層
２  ストレージデバイス
２１  対応接続インターフェース
２２  マイクロプロセッサーユニット
２２１  ストレージユニット
２３  パワーサプライユニット
２４  ハウジング
２４１  搭載台
【図１】
0003209182.tif 000003
【図２】
0003209182.tif 000004
【図３】
0003209182.tif 000005
【図４】
0003209182.tif 000006
【手続補正書】
【提出日】平成29年1月6日(2017.1.6)
【手続補正１】
【補正対象書類名】実用新案登録請求の範囲
【補正対象項目名】全文
【補正方法】変更
【補正の内容】
【実用新案登録請求の範囲】
【請求項１】
ポータブル電子機器のストレージモジュールは、該ポータブル電子機器及びストレージデバイスを備え、
該ポータブル電子機器は、データを探知するストレージプログラムを内蔵するプロセッサーを設置し、該プロセッサーにより、電子信号及びデータ伝送を行い伝送インターフェースに電気的に連接し、
該ストレージデバイスは、該ポータブル電子機器と電気的に連接し、該ポータブル電子機器の伝送インターフェースと電気的に連接する対応接続インターフェースを設置し、しかも該対応接続インターフェースは、探知プログラムを内蔵し、ポータブル電子機器伝送データの探知を行うマイクロプロセッサーユニットを連接し、
該マイクロプロセッサーユニットは、ポータブル電子機器にデータのバックアップ、保存を行わせるストレージユニットを電気的に連接し、該マイクロプロセッサーユニットは、ポータブル電子機器に対して充電を行うパワーサプライを電気的に連接することを特徴とするポータブル電子機器のストレージモジュール。
【請求項２】
前記ポータブル電子機器のプロセッサー内蔵のストレージプログラムは、データブラウザ操作インターフェース、実現操作インターフェースの操作機能を備えるアプリケーション層、ＦＡＴ／ＮＴＦＳ／ｅｘＦＡＴ／Ｅｘｔのデータシステム関連保存プロトコルをサポートするデータシステム層、ディスクブロック操作プロトコル層、数値データ伝送プロトコル層及びデータストレージ層を備え、
該プロセッサーにより、少なくとも１個以上の伝送インターフェースに電気的に連接することを特徴とする請求項１に記載のポータブル電子機器のストレージモジュール。
【請求項３】
前記ストレージデバイスには、少なくとも１個以上の対応接続インターフェース、マイクロプロセッサーユニット及び電源を供給するハウジングを設置し、
該ハウジングの少なくとも一側面には、少なくとも１個の対応接続インターフェースが露出し、該ハウジングの外部には、該ポータブル電子機器を搭載する搭載台を設置し、
該対応接続インターフェースは、ＵＳＢ型式のコネクターインターフェースで、しかも該マイクロプロセッサーユニットは、ＣＰＵ、マイクロプロセッサー或いはＩＣで、ポータブル電子機器伝送データのバックアップ日、時間、更新時間、標記名称及び容量を探知し、すでにバックアップ済みのデータを識別して排除する探知プログラムを内蔵することを特徴とする請求項１に記載のポータブル電子機器のストレージモジュール。
【手続補正２】
【補正対象書類名】明細書
【補正対象項目名】０００８
【補正方法】変更
【補正の内容】
【０００８】
本考案が解決ようとする第三の課題は、ストレージデバイスには少なくとも１個以上の対応接続インターフェース、マイクロプロセッサーユニット及び電源を供給するハウジングを設置し、ハウジングの少なくとも一側面には、少なくとも１個の対応接続インターフェースが露出し、ハウジングの外部には、搭載台を設置してポータブル電子機器を搭載し、対応接続インターフェースはＵＳＢ（ＵＳＢ２．０、ＵＳＢ３．０）、マイクロＵＳＢ（Micro ＵＳＢ）或いはミニＵＳＢ（Mini  ＵＳＢ）等型式のコネクターインターフェースで、しかも処理ユニットはＣＰＵ、マイクロプロセッサー或いはＩＣ等で、探知プログラムを内蔵し、ポータブル電子機器伝送データの日にち、時間或いは容量等内容を探知して識別し、すでにバックアップ済みの既存のデータを排除し、未バックアップの新データのみをバックアップし、しかもストレージデバイスがポータブル電子機器に連接すると、ポータブル電子機器に充電できると同時に、数値データバックアップの作業を行うこともできるポータブル電子機器のストレージモジュールを提供することである。
【手続補正３】
【補正対象書類名】明細書
【補正対象項目名】００２５
【補正方法】変更
【補正の内容】
【００２５】
その内部のプロセッサー１１は、ＣＰＵ、マイクロプロセッサー或いはＩＣ等で、プロセッサー１１が電気的に連接する伝送インターフェース１２は、ＵＳＢ２．０型式のコネクターインターフェースである。
【手続補正４】
【補正対象書類名】明細書
【補正対象項目名】００２７
【補正方法】変更
【補正の内容】
【００２７】
該ストレージデバイス２の対応接続インターフェース２１は、ＵＳＢ（ＵＳＢ２．０）型式のコネクターインターフェースである。